(57)【特許請求の範囲】
【請求項１】
一対の駆動手段により夫々独立して駆動される左右の駆動輪を備えた駆動ユニットを車両の前後に配置した支軸に旋回可能に配置し、駆動ユニットの前記左右の駆動輪の回転により車両を走行させると共に、その相対回転により駆動ユニットが旋回することにより操舵される無人搬送車と、無人搬送車若しくは無人搬送車と一体となった台車の少なくとも四隅に配置されて車両重量および積載物重量を支持して無人搬送車若しくは台車の移動方向に追従して旋回され且つ転動するキャスタ輪と、を備え、無人搬送車を交差する走行ラインの交差点上に停止させ、前記前後の駆動ユニットを逆方向に進行させることにより車両を旋回させて、一方の走行ライン上から交差する他方の走行ライン上に前後の駆動ユニットを夫々移行させる無人搬送台車の進路変更方法であり、
前記一方の走行ラインの交差点手前および交差点前方の少なくともいずれかを、進路変更方向に傾斜させた走行ラインに形成し、
前記無人搬送車を前記一方の傾斜させた走行ラインに沿って走行させることにより、前記無人搬送車の交差点上での停止時に、その後の進路変更に伴う旋回方向へ回頭させて停止させることを特徴とする無人搬送台車の進路変更方法。
【請求項２】
前記一方の走行ラインは、交差点手前および交差点前方の両方を進路変更方向に傾斜させた走行ラインを備えることを特徴とする請求項１に記載の無人搬送台車の進路変更方法。
【請求項３】
前記前後の駆動ユニットを逆方向に進行させることにより車両を旋回させて、前記一方の走行ライン上から交差する他方の走行ライン上に前後の駆動ユニットを夫々移行させる際に、前後の駆動ユニットを交差点を中心とする環状の走行ラインに沿って前記前後の駆動ユニットを逆方向に進行させることにより車両を旋回させることを特徴とする請求項１または請求項２に記載の無人搬送台車の進路変更方法。
【請求項４】
一対の駆動手段により夫々独立して駆動される左右の駆動輪を備えた駆動ユニットを車両の前後に配置した支軸に旋回可能に配置し、駆動ユニットの前記左右の駆動輪の回転により車両を走行させると共に、その相対回転により駆動ユニットが旋回することにより操舵される無人搬送車と、無人搬送車若しくは無人搬送車と一体となった台車の少なくとも四隅に配置されて車両重量および積載物重量を支持して無人搬送車若しくは台車の移動方向に追従して旋回され且つ転動するキャスタ輪と、を備え、無人搬送車を交差する走行ラインの交差点上に停止させ、前記前後の駆動ユニットを横方向に進行させることにより車両を横行させて、一方の走行ライン上から交差する他方の平行な走行ライン上に前後の駆動ユニットを夫々移行させる無人搬送台車の進路変更方法であり、
前記一方の走行ラインと他方の平行な走行ラインとの交差点の手前に、一方の走行ラインから他方の平行な走行ラインに向かって傾斜させた平行な傾斜走行ラインを設け、
前記無人搬送車を前記交差点手前の傾斜された平行な傾斜走行ライン上を走行させた後に前記交差点上に停止させるようにしたことを特徴とする無人搬送台車の進路変更方法。
【請求項５】
一対の駆動手段により夫々独立して駆動される左右の駆動輪と、走行ラインを検出するライン検出手段と、前記ライン検出手段の検出結果に基づいて前記駆動手段による左右の駆動輪の夫々の回転を制御する制御手段と、を備えた駆動ユニットを車両の前後に配置した支軸に旋回可能に配置し、駆動ユニットの前記左右の駆動輪の回転により車両を走行させると共に、その相対回転により駆動ユニットが旋回することにより操舵される無人搬送車と、無人搬送車若しくは無人搬送車と一体となった台車の少なくとも四隅に配置されて車両重量および積載物重量を支持して無人搬送車若しくは台車の移動方向に追従して旋回され且つ転動するキャスタ輪と、を備え、無人搬送車を交差する走行ラインの交差点上に停止させ、前記前後の駆動ユニットを逆方向に進行させることにより車両を旋回させて、一方の走行ライン上から交差する他方の走行ライン上に前後の駆動ユニットを夫々移行させる無人搬送台車の進路変更装置であり、
前記一方の走行ラインの交差点手前および交差点前方の少なくともいずれかを、進路変更方向に傾斜させた走行ラインに形成し、
前記無人搬送車の交差点への進入時に、前記交差点手前および交差点前方の少なくともいずれかを進路変更方向に傾斜させた前記一方の走行ラインを走行させることにより、前記無人搬送車を交差点上での停止時に、その後の進路変更に伴う旋回方向へ回頭させて停止させることを特徴とする無人搬送台車の進路変更装置。
【請求項６】
前記一方の走行ラインは、交差点手前および交差点前方の両方を進路変更方向に傾斜させた走行ラインを備えることを特徴とする請求項５に記載の無人搬送台車の進路変更装置。
【請求項７】
前記交差点は当該交差点を中心とする環状の走行ラインを備え、
前記無人搬送車は前記環状の走行ラインに沿って前後の駆動ユニットを逆方向に進行させることにより車両を旋回させて、一方の走行ライン上から交差する他方の走行ライン上に前後の駆動ユニットを夫々移行させることを特徴とする請求項５または請求項６に記載の無人搬送台車の進路変更装置。
【請求項８】
一対の駆動手段により夫々独立して駆動される左右の駆動輪と、走行ラインを検出するライン検出手段と、前記ライン検出手段の検出結果に基づいて前記駆動手段による左右の駆動輪の夫々の回転を制御する制御手段と、を備えた駆動ユニットを車両の前後に配置した支軸に旋回可能に配置し、駆動ユニットの前記左右の駆動輪の回転により車両を走行させると共に、その相対回転により駆動ユニットが旋回することにより操舵される無人搬送車と、無人搬送車若しくは無人搬送車と一体となった台車の少なくとも四隅に配置されて車両重量および積載物重量を支持して無人搬送車若しくは台車の移動方向に追従して旋回され且つ転動するキャスタ輪と、を備え、無人搬送車を交差する走行ラインの交差点上に停止させ、前記前後の駆動ユニットを横方向に進行させることにより車両を横行させて、一方の走行ライン上から交差する他方の平行な走行ライン上に前後の駆動ユニットを夫々移行させる無人搬送台車の進路変更装置であり、
前記一方の走行ラインと他方の平行な走行ラインとの交差点の手前に、一方の走行ラインから他方の平行な走行ラインに向かって傾斜させた平行な傾斜走行ラインを設け、
前記交差点に至る手前に配置した傾斜した平行な傾斜走行ライン上に前後の駆動ユニットを走行させた後に、前記無人搬送車を前記交差点上に停止させるようにしたことを特徴とする無人搬送台車の進路変更装置。
【発明の詳細な説明】
【技術分野】
【０００１】
本発明は、床面に敷設した磁気テープや反射テープ等の軌道により予め指定したルート上を走行させる無人搬送台車の進路変更方法および進路変更装置に関し、特に、転回や横行による進路変更に好適な無人搬送台車の進路変更方法および進路変更装置に関するものである。
【背景技術】
【０００２】
従来から物流の自動化を目的として、床面に敷設した直線と曲線を組み合わせた磁気テープ等の軌道に対する車両の左右ずれを検出センサにより補正しつつ、軌道により形成された経路上を前進移動する無人搬送台車が一般的に使用されている（特許文献１参照）。
【０００３】
これは、進路変更を行う場合に、一旦停止して、前後に配置された駆動ユニットの左右のタイヤを互いに逆方向へ回転駆動させ、各駆動ユニットを無人搬送台車に対して９０度に回転させる。その後、この回転角度を維持した状態で前後の走行装置を逆方向に走行させることにより、無人搬送台車を旋回させて進行方向の変更を行い、変更した走行ラインに沿って走行させる。これにより、無人搬送台車の進行方向を狭スペースで任意の方向へ向けることができ、大きな角度で交差する走行ラインに沿った無人搬送台車の進路変更を可能とするものである。
【特許文献１】特開平０９−３２５８１５号公報
【発明の開示】
【発明が解決しようとする課題】
【０００４】
ところで、上記従来例のような無人搬送台車においては、車両重量および積荷の荷重を支持するために車両の四隅にキャスタ輪が配置され、これらのキャスタ輪は車両の前後に配置した前後の駆動ユニットによる進行方向に追従して夫々旋回（向き変更）され且つ車両の進行に連れて従動回転する構成を備えている。
【０００５】
このため、上記従来例のように、進路変更のために無心搬送台車をその場回転により旋回させる場合には、今までの車両進行方向の後方側に倣うよう向き（ヨー角度）が整列して停止しているキャスタ輪を、各駆動ユニットの逆方向への前進により車両を初期旋回させて、車両旋回方向（旋回中心に対して接線方向）のヨー角度を持つよう向きを変更させ、キャスタ輪のヨー角度が接線方向に向きが変更された後は、キャスタ輪の転動により軽快に車両を旋回させることができる。
【０００６】
しかしながら、前記車両の初期旋回は、各キャスタ輪のヨー角（向き）変更を伴い、大きい駆動負荷を伴う。即ち、一旦回転が停止されたキャスタ輪のヨー角度変更に対する旋回抵抗力は、キャスタ輪と床面との摩擦力が加わることから、転動しているキャスタ輪のヨー角度変更に対する旋回抵抗力に対して、数倍の旋回抵抗が発生する。前記摩擦力は車両重量および積載荷重に比例して大きくなる。このため、車両を円滑に初期旋回させるためには、前記駆動ユニットにより初期に発生させる旋回トルクを、前記（積載荷重に応じて増加する）旋回抵抗に打勝つ程度の高い駆動力を備えた駆動ユニットとする必要があり、高価な駆動ユニットとなり、無人搬送車のコストが上昇する不具合が予想される。
【０００７】
そこで本発明は、上記問題点に鑑みてなされたもので、キャスタ輪による駆動負荷の低減に好適な無人搬送台車の進路変更方法および進路変更装置を提供することを目的とする。
【課題を解決するための手段】
【０００８】
本発明は、一対の駆動手段により夫々独立して駆動される左右の駆動輪を備えた駆動ユニットを車両の前後に配置した支軸に旋回可能に配置し、駆動ユニットの前記左右の駆動輪の回転により車両を走行させると共に、その相対回転により駆動ユニットが旋回することにより操舵される無人搬送車と、無人搬送車若しくは無人搬送車と一体となった台車の少なくとも四隅に配置されて車両重量および積載物重量を支持して無人搬送車若しくは台車の移動方向に追従して旋回され且つ転動するキャスタ輪と、を備え、無人搬送車を交差する走行ラインの交差点上に停止させて、一方の走行ライン上から交差する他方の走行ライン上に前後の駆動ユニットを夫々移行させる無人搬送台車の進路変更方法において、前記一方の走行ラインの交差点手前および交差点前方の少なくともいずれかを、進路変更方向に傾斜させた走行ラインに形成し、前記無人搬送車を前記一方の傾斜させた走行ラインに沿って走行させることにより、無人搬送車を交差する走行ラインの交差点上に停止させる際にその後の進路変更に伴う旋回方向へ回頭させて停止させるようにした。
【発明の効果】
【０００９】
したがって、本発明では、一対の駆動手段により夫々独立して駆動される左右の駆動輪を備えた駆動ユニットを車両の前後に配置した支軸に旋回可能に配置し、駆動ユニットの前記左右の駆動輪の回転により車両を走行させると共に、その相対回転により駆動ユニットが旋回することにより操舵される無人搬送車を備え、無人搬送車を交差する走行ラインの交差点上に停止させて、一方の走行ライン上から交差する他方の走行ライン上に前後の駆動ユニットを夫々移行させる無人搬送台車の進路変更方法において、一方の走行ラインの交差点手前および交差点前方の少なくともいずれかを、進路変更方向に傾斜させた走行ラインに形成し、無人搬送車を前記一方の傾斜させた走行ラインに沿って走行させることにより、無人搬送車を交差する走行ラインの交差点上に停止させる際にその後の進路変更に伴う旋回方向へ回頭させて停止させるようにしたため、無人搬送車若しくは無人搬送車と一体となった台車の少なくとも四隅に配置されて車両重量および積載物重量を支持して無人搬送車若しくは台車の移動方向に追従して旋回され且つ転動するキャスタ輪の向きを、走行中において車両の旋回方向へ旋回させた状態で車両を交差点上で停止させることができ、キャスタ輪による駆動負荷の低減に好適な無人搬送台車とすることができる。
【発明を実施するための最良の形態】
【００１０】
以下、本発明の無人搬送台車の進進路変更方法および進路変更装置を、図１〜図８に示す一実施形態に基づいて説明する。図１は無人搬送台車の底面図、図２は無人搬送車の走行制御のシステム構成図、図３および図４は無人搬送車が転回する走行ラインの交差点の説明図、図５は無人搬送車が横行走行する走行ラインの説明図、図６は通常の走行ラインに沿った無人搬送車の駆動ユニットコントローラにより実行される走行制御のフローチャート、図７は大きく交差した交差点における旋回動作による進路変更での走行制御コントローラにより実行される進路変更制御のフローチャート、図８は大きく交差した交差点における横行動作による進路変更での走行制御コントローラにより実行される進路変更制御のフローチャートである。
【００１１】
図１において、本実施形態における無人搬送台車１(以下では、単に「車両」ともいう)は、下部の略四隅に配置したキャスタ輪５により支持される台車２と、台車２の下部に固定されて台車２と一体となり、前方および後方位置に旋回可能な駆動ユニット４を有する無人搬送車３と、から構成されている。前記キャスタ輪５は台車２および台車２上に積載された積載物の重量を支え、無人搬送車３により駆動される車両の移動方向に追従して旋回される。
【００１２】
前記無人搬送車３は、車体２の下部の前方および後方に床面に向けて立設させた２本の支軸６と、各支軸６に夫々旋回可能に設けた駆動ユニット４と、電源としてのバッテリ７と、駆動ユニット４を制御するコントローラ８とを備える。
【００１３】
前記駆動ユニット４は、前記支軸６に回動可能に支持され、図示しない一対の駆動モータを内蔵するアクスル９と、アクスル９の左右に配置されて前記一対の駆動モータにより夫々独立して駆動される一対の駆動輪１０とを備える。また、駆動ユニット４には、アクスル９の前方および後方に配置されたブラケットにより保持して、走行ラインを形成する軌道テープ１５を検出する軌道センサ１１を備える。また、同じくアクスル９の前方若しくは後方に配置されたブラケットに保持して、軌道テープ１５に隣接した設定位置に配置されて、無人搬送車３のコントローラ８へ外部信号（コマンド（転回指令、停止指令、発進指令）命令）を伝達するアドレスマーク（磁気テープ）１６を検出するアドレスセンサ１２を備える。
【００１４】
各駆動輪１０は走行路面に接地されて夫々対応する駆動モータにより回転駆動されて無人搬送車３を走行させる。即ち、前記両駆動輪１０が夫々駆動モータにより互いに等速で駆動される場合には、アクスル９は支軸６回りの旋回することなく、左右駆動輪１０を連結するアクスル軸と直交する方向（駆動方向）に、アクスル９を介して支軸６を押し、車両を移動させる。この場合には、両駆動輪１０の駆動方向の合成力が一致している。車両の進行方向は、後述するように、車両の前後に配置されている両駆動ユニット４の夫々の駆動状態（前後駆動ユニット４の駆動方向および駆動速度）に応じて様々に変化させることができる。
【００１５】
また、左右駆動輪１０の駆動速度に差を持たせた場合には、支軸６回りにアクスル９を回動させつつ両駆動輪１０の平均速度に応じて支軸６を押動して車両を走行させる。また、前記両駆動輪１０の平均速度が零となる場合、即ち、両駆動輪１０が互いに反対方向に等速で駆動される場合には、支軸６回りにアクスル９を転回させて、支軸６への駆動方向を変更することができる。
【００１６】
車両の進行方向は、車両の前後に配置された夫々の駆動ユニット４の駆動方向が同一軸線上、即ち、車両の前後方向軸と一致している舵角が零の場合には、車両を前方に直進させる（直進位置）ことができ、また、駆動ユニット４を１８０度の角度だけ反転させた状態（後進位置、舵角が１８０度）では、車両を後方に直進させることができる。なお、両駆動ユニット４の駆動方向を逆転させる場合においても、車両を後方に直進させることができる。
【００１７】
また、両駆動ユニット４を直進位置から同一方向に９０度の角度により旋回させた場合には、車両をその姿勢を変更させることなく、横方向に横行させることができる。さらに、両駆動ユニット４を任意の同一方向および同一角度により斜め方向に旋回させた場合には、車両をその姿勢を変更させることなく、任意の方向に斜め走行させることができる。
【００１８】
さらに、両駆動ユニット４を直進位置から夫々逆方向に９０度の角度により旋回させた場合には、車両の中心位置（前後支軸６の中間位置）を移動させることなく、車両をその場旋回させることができる。また、前方の駆動ユニット４の駆動方向を任意の角度だけ旋回させた場合には、車両をこの任意の方向に旋回させることができ、その時のトレールは前方駆動ユニット４のアクスル軸と後方駆動ユニット４のアクスル軸とが交差する点を旋回中心とする旋回半径を備えるものとなる。この旋回に際して、後方の駆動ユニット４の駆動方向（支軸６回りの角度位置）を前方の駆動ユニット４の駆動方向（支軸６回りの角度位置）とは反対側の角度に旋回させる場合には、前後のアクスル軸同士の交点（旋回中心）がより車両に接近して旋回半径を小さくして、車両を小回りさせることができる。
【００１９】
前記軌道センサ１１は、詳細には図示しないが、走行ラインを形成する軌道テープ１５の幅方向に沿って複数（例えば、３個）のセンサが設けられている。そして、通常は、コントローラ８により、進行方向の前方に位置する軌道センサ１１の全てのセンサによって軌道テープ１５を検出するように、駆動ユニット４の左右の駆動輪１０の移動速度を調整する。なお、進行方向の後方に位置する軌道センサ１１における複数のセンサによって軌道テープ１５を検出するように、左右の駆動輪１０の移動速度を調整してもよく、また、進行方向の前後に位置する両軌道センサ１１の全てのセンサによって軌道テープ１５を検出するように、左右の駆動輪１０の移動速度を調整してもよい。
【００２０】
図２は無人搬送車３のシステム構成図である。コントローラ８には、無人搬送車３の走行制御を実行する走行制御コントローラ８Ａと、各駆動ユニット４を制御する駆動ユニットコントローラ８Ｂとを備える。前記走行制御コントローラ８Ａには、軌道テープ１５の側方に必要に応じて配置された、指令コマンドを発信する磁気テープや現在位置を示すアドレス用磁気テープを検出するアドレスセンサ１２よりの検出信号と、予め設定した走行ルート・車両速度指令を記憶した記憶回路よりのルート・速度指令とが入力されて、車両の前後駆動ユニット４の舵角指令および速度指令（発進、停止、速度）を演算し、駆動ユニットコントローラ８Ｂに出力する。以下では、前記指令コマンドを発信する磁気テープや現在位置を示すアドレス用磁気テープを総称して、アドレスマーク１６という。前記駆動ユニットコントローラ８Ｂには、軌道センサ１１よりの検出信号が入力されると共に、走行制御コントローラ８Ａからの舵角指令および速度指令が入力され、これらの入力信号に基づいて、左右駆動モータの回転速度および回転角速度を演算する。この左右駆動モータの回転速度および回転角速度の指令は、夫々モータ駆動回路１３に出力され、各駆動モータが制御される。
【００２１】
無人搬送車３の走行ラインは、磁気テープや反射テープ等により形成した任意の走行ラインに沿って自在に設定して、無人搬送車３を走行させることができる。ところで、一方の走行ラインから分岐させた走行ラインへ無人搬送車３を移動させる時には、分岐させた軌道テープ１５を軌道センサ１１によって検出しながら行うことができる。このとき、無人搬送車３の自動走行が軌道センサ１１によって確実に軌道テープ１５を検出しながら走行できるように、分岐する軌道テープ１５は、緩やかなカーブを描くように設置するか、元の軌道テープ１５と分岐する軌道テープ１５の間の角度を小さく設定されている。
【００２２】
しかしながら、無人搬送車３は、軌道センサ１１によって軌道テープ１５を検出しながら移動するため、緩やかなカーブを描くように走行ラインを形成したり、小さい角度で走行ラインを分岐させる必要がある。このためには、無人搬送車３を走行させるため、大きな角度で交差する走行ラインへは進路変更することができないため無人搬送車３を走行させるための走行ラインの形状が限られてしまうと共に、広いスペースを用いて走行ラインを形成しなければならない。
【００２３】
図３に示す走行ラインは、大きな角度で交差する走行ラインへの確実に進路変更させる場合に使用する交差点の走行ラインの形態を示すものである。即ち、一方の軌道テープ１５Ａ(進路変更前の軌道テープ１５Ａであり、「第１軌道テープ１５Ａ」という)と他方の軌道テープ１５Ｂ(進路変更後の軌道テープ１５Ｂであり、「第２軌道テープ１５Ｂ」という)とが交差する交差点を取囲んで円形となる走行ラインが、円軌道テープ１５Ｃにより形成されている。前記円軌道テープ１５Ｃは、交差点の中心を中心とする円形に形成されると共に、そのテープ幅は通常の軌道テープ１５Ａ，１５Ｂと同じ幅に設定されている。また、円軌道テープ１５Ｃを検出する軌道センサ１１は、駆動ユニット４の支軸６に対して前方および後方にオフセットして配置されているため、軌道センサ１１が円軌道テープ１５Ｃに対して直交せずに傾斜した状態で対面するようになる。そして、円軌道テープ１５Ｃの直径は、無人搬送車３の前後の駆動ユニット４の支軸６間の距離と同じ寸法に設定されている。
【００２４】
また、また、一方の交差点を越えた領域の第１軌道テープ１５Ａは、車両を回頭動作させる方向に所定角度だけ振って配置している。この第１軌道テープ１５Ａの交差点先端側の傾斜は、それに沿って走行する前方側の駆動ユニット４の位置を旋回方向に寄らせるものである。このようにすることにより、無人搬送車３と一体となった台車２の前端側を無人搬送車３による旋回に先立ってある程度まで回頭動作させるものである。
【００２５】
また、無人搬送車３を、交差点の中心にその中心を一致させて停車させるために、停止・旋回指令のアドレスマーク１６Ａが設置される。例えば、図中の矢印方向から第１軌道テープ１５Ａに沿って無人搬送車３が交差点に進入し、交差点から抜け出して第２軌道テープ１５Ｂに沿って矢印の方向に進む場合には、無人搬送車３の中心が交差点の中心と一致した時点で、前方の駆動ユニット４に設置したアドレスセンサ１２が位置する部分に、停止・旋回指令のアドレスマーク１６Ａが設置される。
【００２６】
上記時点においては、前後の駆動ユニット４の支軸６は、第１軌道テープ１５Ａと円軌道テープ１５Ｃとが夫々交差した部分に位置して停止される。そして、後述するように、各駆動ユニット４が支軸６回りに９０度だけ旋回されて、各駆動ユニット４を円軌道テープ１５Ｃに沿って進行させ、無人搬送車３が第２軌道テープ１５Ｂに沿った状態となる場合に、円軌道テープ１５Ｃ上の走行を停止させるための、停止指令のアドレスマーク１６Ｂが第２軌道テープ１５Ｂに近接して夫々設置される。この停止指令のアドレスマーク１６Ｂは、各駆動ユニット４を正規位置に停止させるために、各駆動ユニット４に対して設置される。
【００２７】
なお、前記アドレスマーク１６Ｂの設置位置は、前記説明では、第１軌道テープ１５Ａを矢印方向から進路変更して第２軌道テープ１５Ｂに矢印方向に進む場合を示しており、第２軌道テープ１５Ｂから進路変更して第１軌道テープ１５Ａに進む場合には、その目的のために、上記したものとは別のアドレスマーク１６Ｂの設置を必要とする。
【００２８】
図４は、無人搬送車３の大きく交差した走行ラインの第２例を示したものであり、交差点には円軌道テープ１５Ｃと、必要とするアドレスマーク１６Ａ，１６Ｂが夫々設置される。そして、無人搬送車３の交差点への進入路である第１軌道テープ１５Ａは、円軌道テープ１５Ｃと交差する手前から、車両の後方側を回頭動作させる方向(車両後方側が旋回する方向)に傾斜配置されて円軌道テープ１５Ｃと交差し、第２軌道テープ１５Ｂと交差した後の先端側の第１軌道テープ１５Ａは、車両の前方側を回頭動作させる方向(車両前方側が旋回する方向)に傾斜配置されて円軌道テープ１５Ｃと交差するよう配置されている。なお、第１軌道テープ１５Ａの第２軌道テープ１５Ｂを挟んだ前後部分は、それらに沿って走行する駆動ユニット４が円滑に走行するよう滑らかな曲線で繋げられている。
【００２９】
前記第１軌道テープ１５Ａの交差点前後の傾斜は、それに沿って走行する前方側の駆動ユニット４の位置と後方側の駆動ユニット４の位置とを、夫々を旋回方向に寄らせるものである。このようにすることにより、無人搬送車３と一体となって走行する台車２の前端側および後端側を、無人搬送車３による旋回に先立って、図３に示す台車２の回頭動作よりも更に大きく回頭動作させるものである。無人搬送車３は、例えば、Ａ方向から第１の交差点で旋回してＢ方向に進行してもよく、更に旋回を継続してＣ方向に走行させることもできる。なお、Ｃ方向に走行させる場合には、実線で示すアドレスマーク１６Ａ，１６Ｂに代えて、破線で示すアドレスマーク１６Ａ，１６Ｂの設置を必要とする。
【００３０】
また、図５に示す走行ラインは、無人搬送車３を横行させて、台車２を横行移動させるための走行ラインである。第１軌道テープ１５Ａと前後の駆動ユニット４が横行する平行な横行軌道テープ１５Ｄとの間には、台車２の移動方向を横行移動に繋ぐ傾斜した傾斜軌道テープ１５Ｅが平行状態で配置されている。従って、無人搬送車３の分岐点を通過後の前後の駆動ユニット４により傾斜軌道テープ１５Ｅの走行移動を経ることにより、台車２はその移動方向を斜め方向とされ、その傾斜軌道テープ１５Ｅの終端において一旦停止された後に横行軌道テープ１５Ｄによる横行移動が実行されるようにしている。ここでは、傾斜軌道テープ１５Ｅの終端と横行軌道テープ１５Ｄとの交点が交差点を構成する。なお、横行移動後の第２軌道テープ１５Ｂへの乗移り時においても、傾斜軌道テープ１５Ｆを介在させることにより、横行移動から前進若しくは後進移動への円滑な乗移り移動を可能としている。
【００３１】
以上の構成の無人搬送車３の制御動作について、図６〜図８に示すフローチャートに基づいて、以下に説明する。図６は、通常の走行ラインに沿った無人搬送車３の走行、すなわち、無人搬送車３の通常走行時における駆動ユニットコントローラ８により実行される走行制御のフローチャートを示している。図７は、大きく交差した交差点における旋回動作による進路変更での走行制御コントローラ８により実行される進路変更制御のフローチャートを示している。また、図８は、大きく交差した交差点における横行動作による進路変更での走行制御コントローラ８により実行される進路変更制御のフローチャートを示している。
【００３２】
図６に示す通常走行のための制御は、前後の駆動ユニット４の夫々について実行され、駆動ユニット４の夫々が進行方向を略無人搬送車３の進行方向へ向けた状態（舵角が略０°）で、左右の駆動輪１０を略同一速度で回転させながら、軌道センサ１１の検出結果に基づいて左右の駆動輪１０の回転速度を調整する。これによって、無人搬送車３が走行ラインに沿って操舵されながら走行するようにしている。
【００３３】
このフローチャートの最初のステップＳ１では、駆動モータのフィードバック制御を行って、左右の駆動輪１０を同一の速度で回転駆動して走行する。一方、次のステップＳ２及びステップＳ３では、軌道センサ１１の検出結果から、軌道テープ１５の幅方向に沿って設けられたすべてのセンサが軌道テープ１５の検出状態にあるか否かを確認している。ここで幅方向の両側のセンサの何れかが軌道テープ１５の非検出状態、すなわち、センサが軌道テープ１５からずれると、ステップＳ２またはステップＳ３で否定判定される。
【００３４】
走行ラインを形成する軌道テープ１５の幅方向に配置されている軌道センサ１１の複数のセンサの中で、右端のセンサが軌道テープ１５から外れて非検出状態となると、ステップＳ２で否定判定されてステップＳ４へ移行する。このステップＳ４では、駆動ユニット４の左右の駆動輪１０のうちの左側の駆動輪１０の回転速度を減速させる。即ち、右側のセンサが非検出状態となったときには、駆動ユニット４が軌道テープ１５の右側にずれていると判断して左側の駆動輪１０を減速する。これによって、駆動ユニット４が左に徐々に旋回し、走行ラインに対するずれが修正される。
【００３５】
また、駆動ユニット４が軌道テープ１５に対して左側へずれていると判断したときには、ステップＳ３で否定判定されて、ステップＳ５へ移行する。このステップＳ５では、逆に右側の駆動輪１０の回転速度を減速して、駆動ユニット４を徐々に右側に旋回するようにして、駆動ユニット４の走行ラインに対するずれを修正する。
【００３６】
このように、駆動ユニット４の走行ラインに対するずれの修正は、軌道センサ１１の検出結果に基づいて行われ、また、軌道センサ１１の全てのセンサが軌道テープ１５を検出している状態では、ステップＳ２、Ｓ３のそれぞれで肯定判定されて、左右の駆動輪１０を同速で駆動して走行する（ステップＳ１）。これによって、走行ラインに対するずれが修正されながら、無人搬送車３を走行ラインに沿って操舵しながら走行できるようにしている。
【００３７】
図７に示す無人搬送車３の走行制御コントローラ８により実行される進路変更制御は、走行プログラムに基づいて進路変更を行うか否かを判断して、進路変更を行うと判断されると、実行される。なお、走行プログラムでは進路変更を行うアドレスマーク１６と走行方向が設定されている。即ち、走行してきた元の軌道テープ１５Ａ（第１軌道テープ１５Ａ）から右へ向いて走行するか左へ向いて走行するか等が設定されている。ここでは、図３および図４に示す走行ラインに基づいて車両を旋回走行させて進路変更する場合を示す図９および図１０を参照しつつ説明する。
【００３８】
図３に示す走行ラインにおいては、図９に示すように、車両が交差点に進入すると、無人搬送車３の前方の駆動ユニット４は第１軌道テープ１５Ａに沿って交差点に進入し、交差点を通過した後は所定角度だけ振って配置された第１軌道テープ１５Ａに沿って走行する。一方、後方の駆動ユニット４は交差点手前の直線状の第１軌道テープ１５Ａに沿って走行する。このため、車両の前方部分は交差点通過後の第１軌道テープ１５Ａに沿って、図示状態では、時計回りに移動され、車両を回頭動作させる。この車両の回頭動作に連れて、台車２に設けられている前方のキャスタ輪５は夫々時計方向に旋回され、後方のキャスタ輪５の台車２の回頭に伴い台車２に対して反時計方向に旋回される。
【００３９】
図４に示す走行ラインにおいては、図１０に示すように、車両が交差点に進入すると、前方の駆動ユニット４は、交差点手前の傾斜した第１軌道テープ１５Ａおよび交差点通過後の傾斜した第１軌道テープ１５Ａに沿って走行し、それにより車両は前方部分を左側に振りながら左旋回する。そして、後方の駆動ユニット４が交差点手前の傾斜した第１軌道テープ１５Ａに進入した時点では、車両の前方部分を右側に振ると共に後方部分を左側に振ることにより右旋回しながら走行する。このため、台車２に設けられている前方のキャスタ輪５は図中の時計方向に旋回され、後方のキャスタ輪５は図中の反時計方向に旋回される。
【００４０】
上記した状態で、車両はアドレスセンサ１２によって進路変更位置を示すアドレスマーク１６Ａを検出しながら走行する(ステップＳ１０)。そして、前方の駆動ユニット４が円軌道テープ１５Ｃ上に到達した時点で、図示しないがアドレスマーク１６Ａを検出して、前後の駆動ユニット４を一時停止させる（ステップＳ１１）。この状態においては、図９および図１０に示すように、前後の駆動ユニット４は夫々第１軌道テープ１５Ａと円軌道テープ１５Ｃとが交差した部分に位置する。
【００４１】
次に、ステップＳ１２では、前後の駆動ユニット４の左右の駆動輪１０を互いに逆方向へ回転駆動させて、無人搬送車３の車体２に対して駆動ユニット４を支軸６を中心に回転させる。このとき、無人搬送車３の前後に設けている駆動ユニット４の進行方向が互いに異なる方向へ向くように、駆動ユニット４が回転される。
【００４２】
即ち、無人搬送車３は、アドレスマーク１６Ａを検出して停止すると、前方側の駆動ユニット４を一方の軌道テープ１５Ａに沿った進行方向（矢印Ａ１方向）に対して直交する進行方向（矢印Ａ２方向）前方側へ向くように回転され、また、後方側の駆動ユニット４は、一方の軌道テープ１５Ａに沿った進行方向に対して直交する進行方向後方側（矢印Ａ３方向）へ向くように回転される。
【００４３】
駆動ユニット４を支軸６を中心とする回転は継続され、各駆動ユニット４が備える軌道センサ１１の全てのセンサにより円軌道テープ１５Ｃが検出されると、支軸６回りの回転が停止される（ステップＳ１３）。これによって、前方側の駆動ユニット４及び後方側の駆動ユニット４の向きが夫々円軌道テープ１５Ｃに沿う方向となる。次いで、ステップＳ１４へ移行して、前後の駆動ユニット４が備える軌道センサ１１により円軌道テープ１５Ｃを検出させつつ、前進させる。車両は、前後の駆動ユニット４の進行により旋回動作を開始する。
【００４４】
ところで、この時点において、第１軌道テープ１５Ａが第２軌道テープ１５Ｂに対して直交する状態で配置されている走行ラインを備える、図１２に示す比較例では、車両が交差点上で停止されると、台車２に設けている各キャスタ輪５は今までの進行方向に向かうヨー角度をとることになる。即ち、台車２の右前方側キャスタ輪５は旋回方向に対向するヨー角となり、左前方側キャスタ輪５および左後方側キャスタ輪５は旋回方向に直交するヨー角となり、左後方側キャスタ輪５のみが旋回方向側となるヨー角を備えるものとなる。このため、台車２の旋回動作は、先ず、各キャスタ輪５を旋回方向に向くヨー角度となるまでキャスタ輪５を旋回させて後、キャスタ輪５の転動を開始させることとなる。
【００４５】
しかしながら、キャスタ輪５のヨー角度を変更させるためには、図１３に示すように、キャスタ輪５を床面に対する接地軸Ｃ回りにすべり接触させつつ(キャスタ輪５と床面との摩擦力に打勝って)その場で転回させる状態で捩るものであるため、大きい旋回抵抗が発生する。この場合、上記したように、一つのキャスタ輪５のヨー角は旋回方向に対して前方にあり、２つのキャスタ輪５のヨー角は旋回方向に直交する方向にある。このため、これら３つのキャスタ輪５のヨー角度を変更する必要があり、非常に大きい旋回駆動力を必要とすることとなる。しかも、前記旋回抵抗は、台車２に積載している積荷による荷重が増加するに連れて増加するものであるため、積載荷重が大きい場合には、各駆動ユニット４による推進力を増加させる等の対策が必要となる。
【００４６】
一方、図３に示す本実施形態の走行ラインにおいては、図９に示すように、台車２前方のキャスタ輪５は台車２の旋回方向(矢印方向)に対して接地点が後方側に位置するよう旋回されており、台車２後方のキャスタ輪５も台車２の旋回方向(矢印方向)に対して接地点が後方側に位置するよう旋回されている。このため、旋回初期に発生する前記した旋回抵抗が小さく抑えられ、台車２の旋回動作に対して、少ない旋回抵抗を伴いつつ台車２の旋回移動に追従して台車２の旋回方向側へヨー角度を変更しつつ転動を開始する。従って、台車２の旋回動作を円滑に開始させることができる。
【００４７】
また、図４に示すより改良された走行ラインにおいては、図１０に示すように、いずれのキャスタ輪５においても、台車２の旋回方向(矢印方向)に対して接地点が後方側に位置するよう旋回されている。このため、旋回初期に発生する前記した旋回抵抗をより一層小さく抑えることができ、台車２の旋回動作に対して、極めて少ない旋回抵抗を伴いつつ台車２の旋回移動に追従して台車２の旋回方向側へヨー角度を変更しつつ転動を開始する。従って、台車２の旋回動作を極めて円滑に開始させることができる。
【００４８】
次いで、各駆動ユニット４は円軌道テープ１５Ｃに追従するために、左右の駆動輪１０の駆動速度を制御しながら回転駆動させる。この場合の左右の駆動輪１０の駆動速度は、無人搬送車３の中心点に近い内側の駆動輪１０の速度が無人搬送車３の中心点から遠い外側の駆動輪１０の速度より低くなる内外輪差をもって制御される。この結果として、無人搬送車３の中心点を中心に、前後の駆動ユニット４および無人搬送車３が旋回する。
【００４９】
次に、ステップＳ１５に進み、前後いずれかの駆動ユニット４のアドレスセンサ１２が、当該駆動ユニット４の停止のために、他方の軌道テープ１５Ｂに近接して配置されている、停止指令のアドレスマーク１６Ｂを検出したか否かを確認する。そして、アドレスマーク１６Ｂを検出されると、ステップＳ１６へ進み、アドレスマーク１６Ｂを検出した前後いずれか一方の駆動ユニット４を停止させると共に、停止指令のアドレスマーク１６Ｂを検出していない他方の駆動ユニット４は走行を継続させ、ステップＳ１７へ進む。
【００５０】
ステップＳ１７では、他方の駆動ユニット４のアドレスセンサ１２が、当該駆動ユニット４の停止用に、他方の軌道テープ１５Ｂに近接して設置されている停止指令のアドレスマーク１６Ｂを検出したか否かを確認する。他方の駆動ユニット４のアドレスセンサ１２が停止用に設置した停止用のアドレスマーク１６Ｂを検出していない場合には、他方の駆動ユニット４の進行を継続させ、他方の駆動ユニット４のアドレスセンサ１２が停止用に設置した停止指令のアドレスマーク１６Ｂを検出するか否かを確認する。そして、他方の駆動ユニット４のアドレスセンサ１２が、当該駆動ユニット４の停止用に、他方の軌道テープ１５Ｂに近接して設置されている停止指令のアドレスマーク１６Ｂを検出すると、ステップＳ１８へ進む。
【００５１】
ステップＳ１８では、他方の駆動ユニット４を停止させて、ステップＳ１９へ進む。無人搬送車３の前後の駆動ユニット４は、目的とする他方の軌道テープ１５Ｂに対して、夫々進行方向を直交させて停止されている。
【００５２】
前記停止用のアドレスマーク１６Ｂの設置位置は、環状の円軌道テープ１５Ｃ上を走行してきた各駆動ユニット４の左右の駆動輪１０が共に他方の走行ラインを形成する他方の軌道テープ１５Ｂ上に到達した時点におけるアドレスセンサ１２の位置に対応して床面に設置される。なお、アドレスセンサ１２として、アドレスマーク１６Ｂを通過した時点で検出信号を発生するものである場合には、検出信号が発生される時点を考量して設置される。
【００５３】
このように、環状の円軌道テープ１５Ｃと他方の軌道テープ１５Ｂとの２つの交差部分に夫々駆動ユニット４の停止用のアドレスマーク１６Ｂを設置しているため、夫々の駆動ユニット４の到達時点に差異が発生しても、正確に他方の走行ライン上に各駆動ユニット４を停止させることができる。
【００５４】
ステップＳ１９では、左右の駆動輪１０の相対的な回転方向を一方の軌道テープ１５Ａ上での回転方向と逆方向となるように回転させ、それぞれの駆動ユニット４が他方の軌道テープ１５Ｂの無人搬送車３の進行方向側へ向ける駆動ユニット４の戻し回転を行う。そして、駆動ユニット４の軌道センサ１１が他方の軌道テープ１５Ｂを検出したか否かを確認する。この戻し回転によって、駆動ユニット４の軌道センサ１１が他方の軌道テープ１５Ｂを検出して、軌道センサ１１の検出結果に基づいた他方の軌道テープ１５Ｂに沿った走行が可能となると、ステップＳ２１へ移行して、次のコマンドの実行、例えば、軌道センサ１１の検出結果に基づいた通常走行を開始する。この第２軌道テープ１５Ｂに沿っての走行では、前後の駆動ユニット４の進行方向が一致しておりその駆動力が倍増されるため、キャスタ輪５の旋回時におけるヨー角が車両の進行方向に対して直交する方向にあっても、容易にキャスタ輪５のヨー角を変更して走行させることができる。
【００５５】
なお、上記図３の走行ラインの実施例において、第１軌道テープ１５Ａの交差点通過後の走行ラインを傾斜させるものについて説明したが、図示はしないが、交差点通過前の走行ラインを傾斜させるものであってもよい。
【００５６】
図８に示す無人搬送車３の走行制御コントローラ８により実行される進路変更制御は、走行プログラムに基づいて進路変更を行うか否かを判断して、進路変更を行うと判断されると、実行される。なお、走行プログラムでは進路変更を行うアドレスマーク１６と走行方向が設定されている。即ち、走行してきた元の軌道テープ１５Ａ（第１軌道テープ１５Ａ）から右へ向いて走行するか左へ向いて走行するか等が設定されている。ここでは、図５に示す走行ラインに基づいて車両を横行走行させて進路変更する場合を示す図１１を参照しつつ説明する。
【００５７】
図５に示す走行ラインにおいては、車両が交差点に接近すると、車両はアドレスセンサ１２によって進路変更位置、即ち、軌道テープ１５Ａに隣接させて配置されている横行指示のアドレスマーク１６Ａ（横行指示マーク）を検出しながら走行する(ステップＳ２０)。そして、前方の駆動ユニット４が横行指示のアドレスマーク１６Ａを検出すると、ステップＳ２１に進み、前後の駆動ユニット４に対して分岐した互いに平行な傾斜軌道テープ１５Ｅを軌道センサ１１により選択させて、前後の駆動ユニット４を傾斜軌道テープ１５Ｅに沿って進行させる。この走行状態においては、台車２が向きを変えることなく斜めに駆動されるため、図１１に示すように、台車２を支持する各キャスタ輪５も傾斜軌道テープ１５Ｅの進行方向に向かってヨー角度が変更される。
【００５８】
次に、ステップＳ２２に進み、前後いずれかの駆動ユニット４のアドレスセンサ１２が、当該駆動ユニット４の停止のために、横行軌道テープ１５Ｄに近接して配置されている、停止指令のアドレスマーク１６Ｂを検出したか否かを確認する。そして、アドレスマーク１６Ｂを検出されると、ステップＳ２３へ進み、アドレスマーク１６Ｂを検出した前後いずれか一方の駆動ユニット４を停止させると共に、停止指令のアドレスマーク１６Ｂを検出していない他方の駆動ユニット４は傾斜軌道テープ１５Ｅに沿っての走行を継続させ、ステップＳ２４へ進む。
【００５９】
ステップＳ２４では、他方の駆動ユニット４のアドレスセンサ１２が、当該駆動ユニット４の停止用に、横行軌道テープ１５Ｄに近接して設置されている停止指令のアドレスマーク１６Ｂを検出したか否かを確認する。他方の駆動ユニット４のアドレスセンサ１２が停止用に設置した停止用のアドレスマーク１６Ｂを検出していない場合には、他方の駆動ユニット４の進行を継続させ、他方の駆動ユニット４のアドレスセンサ１２が停止用に設置した停止指令のアドレスマーク１６Ｂを検出するか否かを確認する。そして、他方の駆動ユニット４のアドレスセンサ１２が、当該駆動ユニット４の停止用に、横行軌道テープ１５Ｄに近接して設置されている停止指令のアドレスマーク１６Ｂを検出すると、ステップＳ２５へ進む。
【００６０】
ステップＳ２５では、他方の駆動ユニット４を停止させて、ステップＳ２６へ進む。無人搬送車３の前後の駆動ユニット４は、目的とする横行軌道テープ１５Ｄと傾斜軌道テープ１５Ｅとの交差点上で停止されている。
【００６１】
次に、ステップＳ２６では、前後の駆動ユニット４の左右の駆動輪１０を互いに逆方向へ回転駆動させて、無人搬送車３の車体２に対して駆動ユニット４を支軸６を中心に回転させる。このとき、無人搬送車３の前後に設けている駆動ユニット４の進行方向が夫々横方向へ向くように、駆動ユニット４が回転される。
【００６２】
即ち、無人搬送車３は、アドレスマーク１６Ｂを検出して停止すると、前後の駆動ユニット４を傾斜軌道テープ１５Ｅに沿った進行方向（矢印Ａ１方向）と交差する進行方向（矢印Ａ２方向）前方側へ向くように回転される。駆動ユニット４を支軸６を中心とする回転は継続され、各駆動ユニット４が備える軌道センサ１１の全てのセンサにより横行軌道テープ１５Ｄが検出されると、支軸６回りの回転が停止される（ステップＳ２７）。これによって、前後の駆動ユニット４の向きが夫々横行軌道テープ１５Ｄに沿う方向となる。次いで、ステップＳ２８へ移行して、前後の駆動ユニット４が備える軌道センサ１１により横行軌道テープ１５Ｄを検出させつつ、前進させる。車両は、前後の駆動ユニット４の進行により横行動作を開始する。
【００６３】
ところで、第１軌道テープ１５Ａと横行軌道テープ１５Ｄとが直交している走行ラインを備える、図１４に示す比較例では、車両が交差点上で停止されると、台車２に設けている各キャスタ輪５は今までの進行方向に向かうヨー角度をとることになる。即ち、台車２の各キャスタ輪５は横行方向に対して夫々直角方向のヨー角を備えるものとなる。このため、台車２の横行動作は、先ず、各キャスタ輪５を横行方向に向くヨー角度となるまでキャスタ輪５を旋回させて後、キャスタ輪５の転動を開始させることとなる。
【００６４】
しかしながら、キャスタ輪５のヨー角度を変更させるためには、前述（図１３参照）したように、キャスタ輪５を床面に対する接地軸回りにすべり接触させつつ(キャスタ輪５と床面との摩擦力に打勝って)その場で転回させる状態で捩るものであるため、大きい旋回抵抗が発生する。この場合、上記したように、全てのキャスタ輪５のヨー角は横行方向に直交する方向にある。このため、これら全てのキャスタ輪５のヨー角度を変更する必要があり、非常に大きい旋回駆動力を必要とすることとなる。しかも、前記旋回抵抗は、台車２に積載している積荷による荷重が増加するに連れて増加するものであるため、積載荷重が大きい場合には、各駆動ユニット４による推進力を増加させる等の対策が必要となる。
【００６５】
一方、図５に示す本実施形態の走行ラインにおいては、分岐した傾斜軌道テープ１５Ｅに沿って走行させることにより、図１１に示すように、全てのキャスタ輪５が傾斜軌道テープ１５Ｅに平行なヨー角度に旋回されており、横行動作の方向に対して接地点が後方側に位置するよう旋回されている。このため、横行走行初期に発生する前記した走行抵抗が小さく抑えられ、台車２の横行動作に対して、少ない走行抵抗を伴いつつ台車２の横行移動に追従して台車２の移動方向へヨー角度を変更しつつ転動を開始する。従って、台車２の横行動作を円滑に開始させることができる。
【００６６】
次に、ステップＳ２９へ進み、前後の駆動ユニット４のアドレスセンサ１２が、当該駆動ユニット４の斜行のために、横行軌道テープ１５Ｄの終端部に近接して配置されている、斜行指令のアドレスマーク１６Ｂを検出したか否かを確認する。そして、斜行指示のアドレスマーク１６Ｃを検出されると、ステップＳ３０へ進み、前後の駆動ユニット４に対して分岐した互いに平行な傾斜軌道テープ１５Ｆを軌道センサ１１により選択させて、前後の駆動ユニット４を傾斜軌道テープ１５Ｆに沿って進行させる。この走行状態においては、台車２が向きを変えることなく斜めに駆動されるため、台車２を支持する各キャスタ輪５も傾斜軌道テープ１５Ｆの進行方向に向かってヨー角度が変更される。
【００６７】
なお、ステップＳ２９の判定で、前後の駆動ユニット４による斜行指示のアドレスマーク１６Ｃを検出させるまで先行する駆動ユニット４を停止状態で待機させ、両駆動ユニット４によるアドレスマーク１６の検出後に、傾斜軌道テープ１５Ｆに沿った走行を開始するようにしてもよい。
【００６８】
次に、ステップＳ３１へ進み、前後いずれかの駆動ユニット４のアドレスセンサ１２が、当該駆動ユニット４の停止のために、傾斜軌道テープ１５Ｆの終端部に近接して配置されている、停止指令のアドレスマーク１６Ｄを検出したか否かを確認する。そして、アドレスマーク１６Ｄを検出されると、ステップＳ３２へ進み、アドレスマーク１６Ｄを検出した前後いずれか一方の駆動ユニット４を停止させると共に、停止指令のアドレスマーク１６Ｄを検出していない他方の駆動ユニット４は傾斜軌道テープ１５Ｆに沿っての走行を継続させ、ステップＳ３３へ進む。
【００６９】
ステップＳ３３では、他方の駆動ユニット４のアドレスセンサ１２が、当該駆動ユニット４の停止用に、傾斜軌道テープ１５Ｆの終端に近接して設置されている停止指令のアドレスマーク１６Ｄを検出したか否かを確認する。他方の駆動ユニット４のアドレスセンサ１２が停止用に設置した停止用のアドレスマーク１６Ｄを検出していない場合には、他方の駆動ユニット４の進行を継続させ、他方の駆動ユニット４のアドレスセンサ１２が停止用に設置した停止指令のアドレスマーク１６Ｄを検出するか否かを確認する。そして、他方の駆動ユニット４のアドレスセンサ１２が、当該駆動ユニット４の停止用に、傾斜軌道テープ１５Ｆ近接して設置されている停止指令のアドレスマーク１６Ｄを検出すると、ステップＳ３４へ進む。ステップＳ３４では、他方の駆動ユニット４を停止させて、次のステップ３５へ進む。両駆動ユニット４は、第２軌道テープ１５Ｂ上に位置した状態で停止されている。
【００７０】
次のステップ３５では、両駆動ユニット４を第２軌道テープ１５Ｂに前後の駆動ユニット４を沿わせるよう旋回させ、第２軌道テープ１５Ｂに沿って車両を走行させるようにする。この場合においても、台車２に設けられているキャスタ輪５は傾斜軌道テープ１５Ｆに沿う走行により、車両の進行方向に向くヨー角度となっているため、車両を無理なく進行方向へ進行させることができる。
【００７１】
本実施形態においては、以下に記載する効果を奏することができる。
【００７２】
（ア）一対の駆動手段により夫々独立して駆動される左右の駆動輪１０と、走行ラインを検出するライン検出手段としての軌道センサ１１と、前記ライン検出手段の検出結果に基づいて前記駆動手段による左右の駆動輪１０の夫々の回転を制御する制御手段８と、を備えた駆動ユニット４を車両の前後に配置した支軸６に旋回可能に配置し、駆動ユニット４の前記左右の駆動輪１０の回転により車両を走行させると共に、その相対回転により駆動ユニット４が旋回することにより操舵される無人搬送車３と、無人搬送車３若しくは無人搬送車３と一体となった台車２の少なくとも四隅に配置されて車両重量および積載物重量を支持して無人搬送車３若しくは台車２の移動方向に追従して旋回され且つ転動するキャスタ輪５と、を備え、無人搬送車３を交差する走行ラインの交差点上に停止させ、前記前後の駆動ユニット４を逆方向に進行させることにより車両を旋回させて、一方の走行ライン上から交差する他方の走行ライン上に前後の駆動ユニット４を夫々移行させる無人搬送台車１であり、一方の走行ラインの交差点手前および交差点前方の少なくともいずれかを、進路変更方向に傾斜させた走行ラインに形成し、無人搬送車３を一方の傾斜させた走行ラインに沿って走行させることにより、無人搬送車３を交差点上での停止時に、その後の進路変更に伴う旋回方向へ回頭させて停止させるようにしている。
このため、無人搬送車３若しくは無人搬送車３と一体となった台車２の少なくとも四隅に配置されて車両重量および積載物重量を支持して無人搬送車３若しくは台車２の移動方向に追従して旋回され且つ転動するキャスタ輪５の向きを、走行中において車両の旋回方向へ旋回させた状態で車両を交差点上で停止させることができ、キャスタ輪５による駆動負荷を低減でき、無人搬送車３の駆動ユニット４の駆動力を大きく上昇させる等の対策も不要とでき、安価な無人搬送台車１とすることができる。
【００７３】
（イ）一方の走行ラインとしての第１軌道テープ１５Ａを、交差点手前および交差点前方の少なくとも一方を進路変更方向に傾斜させて配置するため、無人搬送車３の交差点への進入により、無人搬送台車１を自動的に旋回方向に回頭できる。
【００７４】
（ウ）一方の走行ラインとしての第１軌道テープ１５Ａを、交差点手前および交差点前方の両方を進路変更方向に傾斜させて配置すると、無人搬送車３の交差点への進入により、無人搬送台車１の旋回方向への回頭をより一層大きくでき、より一層キャスタ輪５による駆動負荷を低減できる。
【００７５】
（エ）前後の駆動ユニット４を逆方向に進行させることにより車両を旋回させて、一方の走行ライン上から交差する他方の走行ライン上に前後の駆動ユニット４を夫々移行させる際に、前後の駆動ユニット４を交差点を中心とする環状の走行ラインとしての円軌道テープ１５Ｃに沿って前記前後の駆動ユニット４を逆方向に進行させて車両を旋回させることにより、旋回中の無人搬送台車１の移動軌跡の精度を向上させ、脱輪等を効果的に抑制できる。
【００７６】
（オ）一対の駆動手段により夫々独立して駆動される左右の駆動輪１０と、走行ラインを検出するライン検出手段としての軌道センサ１１と、前記ライン検出手段の検出結果に基づいて前記駆動手段による左右の駆動輪１０の夫々の回転を制御する制御手段としてのコントローラ８と、を備えた駆動ユニット４を車両の前後に配置した支軸６に旋回可能に配置し、駆動ユニット４の前記左右の駆動輪１０の回転により車両を走行させると共に、その相対回転により駆動ユニット４が旋回することにより操舵される無人搬送車３と、無人搬送車３若しくは無人搬送車３と一体となった台車２の少なくとも四隅に配置されて車両重量および積載物重量を支持して無人搬送車３若しくは台車２の移動方向に追従して旋回され且つ転動するキャスタ輪５と、を備え、無人搬送車３を交差する走行ラインの交差点上に停止させ、前記前後の駆動ユニット４を横方向に進行させることにより車両を横行させて、一方の走行ライン上から交差する他方の平行な走行ライン上に前後の駆動ユニット４を夫々移行させる無人搬送台車１であり、一方の走行ラインと他方の平行な走行ラインとの交差点の手前に、一方の走行ラインから他方の平行な走行ラインに向かって傾斜させた平行な傾斜走行ラインを設け、無人搬送車３を交差点手前の傾斜された平行な傾斜走行ライン上を走行させた後に前記交差点上に停止させるようにしている。
このため、横行軌道テープ１５Ｄへの進路変更においても、無人搬送車３若しくは無人搬送車３と一体となった台車２の少なくとも四隅に配置されて車両重量および積載物重量を支持して無人搬送車３若しくは台車２の移動方向に追従して旋回され且つ転動するキャスタ輪５の向きを車両の進路変更側へ旋回させた状態で車両を交差点上で停止させることができ、キャスタ輪５による駆動負荷を低減でき、無人搬送車３の駆動ユニット４の駆動力を大きく上昇させる等の対策も不要とでき、安価な無人搬送台車１とすることができる。
【図面の簡単な説明】
【００７７】
【図１】本発明の一実施形態を示す無人搬送台車の底面図。
【図２】同じく無人搬送車の走行制御のシステム構成図。
【図３】無人搬送車が転回する走行ラインの交差点の説明図。
【図４】無人搬送車が転回するより改良した走行ラインの交差点の説明図。
【図５】無人搬送車が横行走行する走行ラインの説明図。
【図６】通常の走行ラインに沿った無人搬送車の駆動ユニットコントローラにより実行される走行制御のフローチャート。
【図７】大きく交差した交差点における旋回動作による進路変更での走行制御コントローラにより実行される進路変更制御のフローチャート。
【図８】大きく交差した交差点における横行動作による進路変更での走行制御コントローラにより実行される進路変更制御のフローチャート。
【図９】図３に示した走行ラインによる進路変更の動作状態を示す説明図。
【図１０】図４に示した走行ラインによる進路変更の動作状態を示す説明図。
【図１１】図５に示した走行ラインによる進路変更の動作状態を示す説明図。
【図１２】図３，４に対する比較例の走行ラインによる進路変更の動作状態を示す説明図。
【図１３】キャスタ輪の旋回状態を示す説明図。
【図１４】図５に対する比較例の走行ラインによる進路変更の動作状態を示す説明図。
【符号の説明】
【００７８】
１  無人搬送台車
２  台車
３  無人搬送車
４  駆動ユニット
５  キャスタ輪
６  支軸
７  バッテリ
８  コントローラ（進路変更装置）
９  アクスル
１０  駆動輪
１１  軌道センサ
１２  アドレスセンサ
１５、１５Ａ〜１５Ｆ  走行ラインを構成する軌道テープ
１６Ａ、１６Ｂ  アドレスマーク
【図１】
0005134402.tif 000002
【図２】
0005134402.tif 000003
【図３】
0005134402.tif 000004
【図４】
0005134402.tif 000005
【図５】
0005134402.tif 000006
【図６】
0005134402.tif 000007
【図７】
0005134402.tif 000008
【図８】
0005134402.tif 000009
【図９】
0005134402.tif 000010
【図１０】
0005134402.tif 000011
【図１１】
0005134402.tif 000012
【図１２】
0005134402.tif 000013
【図１３】
0005134402.tif 000014
【図１４】
0005134402.tif 000015